(57)【要約】【課題】電気機器の充電器を利用でき且つ電気機器を照明することが可能な照明装置を提供する。【解決手段】装置本体１に一端部が連結されたアーム２の他端部に灯具３が連結されている。装置本体１には灯具３内に設けられた発光部の点滅を制御する制御装置１０が内蔵されている。装置本体１には、携帯電話４用の充電器６の充電コード７の先端の充電器側コネクタ８ａが接続されるとともに、携帯電話４の充電台５に接続した接続コード９が接続されている。切替スイッチ１１によって、充電器６から制御装置１０へ電源を供給する状態と、充電器６から充電台５を介して携帯電話４の電池を充電する状態とを切り替えることができる。【選択図】　　　図１
2004055361.tif 000002
【特許請求の範囲】
【請求項１】
照明用の照明手段と、照明手段の点滅を制御する制御手段と、電気機器の充電器からの充電コードの先端の充電器側コネクタを接続可能な充電コネクタと、前記電気機器の充電台において前記充電器側コネクタを接続する充電台側コネクタに接続可能なコネクタを有する接続コードと、制御手段と接続コードとのいずれかを選択して充電コネクタに接続する切替手段とを備えてなることを特徴とする照明装置。
【請求項２】
前記照明手段の点灯時間を設定する設定手段が設けられ、前記制御手段は、前記照明手段を点灯させてから前記点灯時間が経過すると前記照明手段を消灯させることを特徴とする請求項１記載の照明装置。
【請求項３】
前記充電器により充電され前記制御手段へ給電する充電式の電池を備えることを特徴とする請求項１または請求項２記載の照明装置。
【請求項４】
前記電気機器が携帯電話であり、前記制御手段は、携帯電話の着信を検知する機能を有し携帯電話の着信を検知すると前記照明手段を点灯させることを特徴とする請求項１ないし請求項３のいずれかに記載の照明装置。
【請求項５】
前記照明手段による照明方向を調節する調節手段を備えることを特徴とする請求項１ないし請求項４のいずれかに記載の照明装置。
【請求項６】
前記照明手段は、光源として発光色の異なる複数の発光ダイオードを有し、前記制御手段は、光源を調光制御する機能を有することを特徴とする請求項１ないし請求項５のいずれかに記載の照明装置。
【請求項７】
前記照明手段は、光源である発光ダイオードと、発光ダイオードが収納された灯具本体と、発光ダイオードを覆って灯具本体の一部を形成し発光ダイオードの発光色とは異なる色の透光性パネルとを備えることを特徴とする請求項１ないし請求項５のいずれかに記載の照明装置。
【請求項８】
前記照明手段は、光源として発光色の異なる複数の発光フィルムを有し、前記制御手段は、光源を調光制御する機能を有することを特徴とする請求項１ないし請求項５のいずれかに記載の照明装置。
【請求項９】
芳香剤を収納する芳香剤収納手段が前記制御手段に熱的に結合した位置に設けられてなることを特徴とする請求項１ないし請求項８のいずれかに記載の照明装置。
【発明の詳細な説明】
【０００１】
【発明の属する技術分野】
本発明は、照明装置に関するものである。
【０００２】
【従来の技術】
近年の各種電気機器の技術革新が進んでおり、特に携帯型の電気機器の一つである携帯電話の著しい技術革新に伴い、携帯電話に多種多様の機能が付加されてきており、例えば、通常の通話以外に、電子メール、インターネット、写真撮影、時計などの用途で使用できるものが提供されている。
【０００３】
ところで、携帯電話を上述のような各種用途で使用する場合、夜間などにおいては明かりを必要とするが、この種の明かりは別途に用意するか、液晶表示部のバックライトを利用しているのが現状である。
【０００４】
【発明が解決しようとする課題】
しかしながら、明かりを別途に用意する場合には、電源やスペースの問題があり、携帯電話の液晶表示部のバックライトを利用する場合には、携帯電話での消費電力の増加に伴い携帯電話の電池（充電池）の寿命が短くなるという問題があった。
【０００５】
また、携帯電話を携帯していない場合、例えば就寝時などは専用の充電器に充電コードを介して接続された充電台に携帯電話をセットしておくことが多いが、この充電器は携帯電話の電池を充電する目的以外には使用されていないのが現状である。
【０００６】
本発明は上記事由に鑑みて為されたものであり、その目的は、電気機器の充電器を利用でき且つ電気機器を照明することが可能な照明装置を提供することにある。
【０００７】
【課題を解決するための手段】
請求項１の発明は、上記目的を達成するために、照明用の照明手段と、照明手段の点滅を制御する制御手段と、電気機器の充電器からの充電コードの先端の充電器側コネクタを接続可能な充電コネクタと、前記電気機器の充電台において前記充電器側コネクタを接続する充電台側コネクタに接続可能なコネクタを有する接続コードと、制御手段と接続コードとのいずれかを選択して充電コネクタに接続する切替手段とを備えてなることを特徴とするものであり、電気機器の充電器からの充電コードの先端の充電器側コネクタを充電コネクタに接続し且つ切替手段により制御手段が選択されることにより、電気機器の充電器から制御手段へ電源を供給することができるので、電気機器の充電器を電気機器の電池の充電用途以外に有効利用することができ、また、照明手段により電気機器を照明することができバックライトを利用する電気機器の消費電力を減らすことが可能であり、電気機器の電池の寿命を長くすることができる。
【０００８】
請求項２の発明は、請求項１の発明において、前記照明手段の点灯時間を設定する設定手段が設けられ、前記制御手段は、前記照明手段を点灯させてから前記点灯時間が経過すると前記照明手段を消灯させるので、無駄な電力消費を抑制することができ、節電を図れる。
【０００９】
請求項３の発明は、請求項１または請求項２の発明において、前記充電器により充電され前記制御手段へ給電する充電式の電池を備えるので、携帯型の照明装置として利用することが可能となり、例えば災害時の保安灯などとして使用することが可能となる。
【００１０】
請求項４の発明は、請求項１ないし請求項３の発明において、前記電気機器が携帯電話であり、前記制御手段は、携帯電話の着信を検知する機能を有し携帯電話の着信を検知すると前記照明手段を点灯させるので、携帯電話が着信時に着信音の発生しないマナーモードに設定されていても携帯電話の着信を前記照明手段の点灯により報知することができ、しかも前記照明手段の光によって携帯電話の位置が分かりやすくなる。
【００１１】
請求項５の発明は、請求項１ないし請求項４の発明において、前記照明手段による照明方向を調節する調節手段を備えるので、前記照明手段による照明方向を使用者の意図に応じて調節することができ使い勝手がよい。
【００１２】
請求項６の発明は、請求項１ないし請求項５の発明において、前記照明手段は、光源として発光色の異なる複数の発光ダイオードを有し、前記制御手段は、光源を調光制御する機能を有するので、前記照明手段による照明色を所望の照明色に調色することが可能となる。
【００１３】
請求項７の発明は、請求項１ないし請求項５の発明において、前記照明手段は、光源である発光ダイオードと、発光ダイオードが収納された灯具本体と、発光ダイオードを覆って灯具本体の一部を形成し発光ダイオードの発光色とは異なる色の透光性パネルとを備えるので、発光ダイオードの発光色と透光性パネルの色とを適宜組み合わせることにより、所望の照明色を得ることが可能となる。
【００１４】
請求項８の発明は、請求項１ないし請求項５の発明において、前記照明手段は、光源として発光色の異なる複数の発光フィルムを有し、前記制御手段は、光源を調光制御する機能を有するので、前記照明手段による照明色を所望の照明色に調色することが可能となる。
【００１５】
請求項９の発明は、請求項１ないし請求項８の発明において、芳香剤を収納する芳香剤収納手段が前記制御手段に熱的に結合した位置に設けられているので、前記制御装置からの伝熱により芳香剤が芳香しやすくなり、前記照明手段による照明と合わせて芳香を楽しむことが可能となる。
【００１６】
【発明の実施の形態】
（実施形態１）
本実施形態の照明装置は、図１に示すように、一端部が装置本体１と連結されたＬ字状のアーム２を備え、アーム２の他端部に灯具３が連結されている。灯具３は、発光色の異なる複数の発光ダイオード（図示せず）と、発光ダイオードが収納された灯具本体３１と、発光ダイオードを覆って灯具本体３１の一部を形成する透光性パネル３２とを備えており、上記発光ダイオードを光源としている。ここに、発光色の異なる発光ダイオードとしては、発光色がそれぞれ赤色、緑色、青色の赤色発光ダイオード、緑色発光ダイオード、青色発光ダイオードを採用している。なお、本実施形態では、発光色の異なる複数の発光ダイオードにより発光部３５（図２参照）を構成している。
【００１７】
各発光ダイオードは１枚の回路基板（図示せず）に実装されて灯具本体３１内に収納され、アーム２内に挿通された電線（図示せず）を介して装置本体１内の制御装置１０と電気的に接続されている。ここに、装置本体１の上面には灯具３の点滅（発光部３５の点滅）を指示するための押釦スイッチからなる点滅スイッチ１２が設けられており、制御装置１０は、点滅スイッチ１２の操作毎に灯具３（発光部３５）の状態を変化させる。すなわち、制御装置１０は、発光部３５が消灯している状態で点滅スイッチ１２が操作されると発光部３５を点灯させ、発光部３５が点灯している状態で点滅スイッチ１２が操作されると発光部３５を消灯させる。なお、本実施形態では、灯具３が照明用の照明手段を構成し、制御装置１０が、照明手段の点滅を制御する制御手段を構成している。
【００１８】
ところで、本実施形態の照明装置は、携帯型の電気機器の一種である携帯電話４用の充電器６により電源を供給できるようになっている点に特徴がある。すなわち、本実施形態の照明装置は、装置本体１の外周面に、充電器６からの充電コード７の先端のコネクタ（以下、充電器側コネクタと称す）８ａを接続可能なコネクタ１４（図２参照）と、携帯電話４の充電台５において充電器側コネクタ８ａを接続する充電台側コネクタ（図示せず）に接続可能なコネクタ９ａを一端側に有する接続コード９の他端側に設けられた中継用コネクタ（図示せず）を接続可能なコネクタ１５（図２参照）とが配設されている。なお、充電器６は、商用電源のコンセントに差込可能な給電用の栓刃６ｂ，６ｂを備えている。また、上述の携帯電話４は、周知のように、通常は充電器側コネクタ８ａを充電台５に設けられた上記充電台側コネクタに接続するとともに、充電台５に携帯電話４を載置し（所定の位置にセットし）、充電器６の栓刃６ｂ，６ｂをコンセントに差し込むことによって内蔵の電池が充電されるようになっている。また、携帯電話４は、ケース４１から引出自在なアンテナ４２を備えている。
【００１９】
装置本体１の外周面には、上述のように充電器側コネクタ８ａを接続可能なコネクタ１４と、中継用コネクタを接続可能なコネクタ１５とが設けられており、さらに、制御装置１０とコネクタ１５とのいずれかを選択してコネクタ１４に接続する切換手段である切替スイッチ１１が設けられている。ここに、切替スイッチ１１は、充電器６を照明装置の電源に利用するのか携帯電話４の充電に利用するのかを選択する選択スイッチとして用いている。なお、本実施形態では、コネクタ１４が充電コネクタを構成している。
【００２０】
以上説明した本実施形態の照明装置は、図２に示すような回路構成を有している。すなわち、本実施形態の照明装置は、上述の複数の発光ダイオードからなる発光部３５と、発光部３５の点滅を制御する制御装置１０と、充電器側コネクタ８ａを接続可能なコネクタ１４と、接続コード９の中継用コネクタを接続可能なコネクタ１５と、制御装置１０とコネクタ１５とのいずれかを選択してコネクタ１４に接続する切替スイッチ１１とを備えている。要するに、切替スイッチ１１の操作によって制御装置１０がコネクタ１４に接続された状態では、制御装置１が充電器６から電源供給され、商用電源を整流平滑することで内部回路用の電源を得ることができる。これに対して、切替スイッチ１１の操作によってコネクタ１５がコネクタ１４に接続された状態では、充電台５にセットされた携帯電話４が充電器６から充電されることになる。
【００２１】
しかして、本実施形態の照明装置では、携帯電話４の充電器６からの充電コード７の先端の充電器側コネクタ８ａを充電コネクタであるコネクタ１４に接続し且つ切替スイッチ１１により制御装置１０を選択する（つまり、照明装置を選択する）ことにより、携帯電話４用の充電器６から制御装置１０へ電源を供給することができるので、携帯電話４用の充電器６を携帯電話４の電池の充電用途以外に有効利用することができる。また、照明手段たる灯具３による照明を夜間などに携帯電話４の明かりに利用することでバックライトを利用する携帯電話４の消費電力を減らすことが可能であり、携帯電話４の電池の寿命を長くすることができる。また、本実施形態の照明装置を就寝時などに常夜灯として利用することも可能となる。
【００２２】
また、本実施形態では、装置本体１に、芳香剤を収納する芳香剤収納部１３が設けられており、芳香剤を装置本体１の上方から芳香剤収納部１３へ収納できるようになっている。ここに、芳香剤収納部１３は制御装置１０に熱的に結合した位置に設けられているので、制御装置１０の回路部品などからの伝熱により芳香剤が芳香しやすくなり、照明手段たる灯具３による照明と合わせて芳香を楽しむことが可能となり、特に就寝前の一時にリラックスすることが可能となる。このような構成を採用する場合には、装置本体１をアルミニウムなどの熱伝導性に優れた材料により形成することで、制御装置１０の回路部品などから芳香剤収納部１３への伝熱作用を高めることができる。なお、本実施形態では、芳香剤収納部１３が芳香剤を収納する芳香剤収納手段を構成している。
【００２３】
ところで、灯具３の点灯時間（点灯保持時間）を設定する設定手段を装置本体１に付加し、制御装置１０が発光部３５を点灯させてから上記点灯時間が経過すると発光部３５を消灯させるように構成してもよく、このような構成を採用すれば、使用者が灯具３を消し忘れた場合（灯具３が点灯した状態で灯具３を消灯するための点滅スイッチ１２の操作が行われなかった場合）に、無駄な電力消費を抑制することができ、節電を図れる。このような構成を採用する場合には、制御装置１０に上記点灯時間をカウントするタイマを内蔵させておけばよい。
【００２４】
なお、制御装置１０は、各発光色の発光ダイオードそれぞれに対応する点灯回路を備えている。したがって、例えば、制御装置１０に各点灯回路へ調光信号を与える調光信号発生回路を設けて、各点灯回路が調光信号を受けて各発光ダイオードへの印加電圧を制御することで調光制御するようにしてもよい。ここに、調光信号としてはパルス幅を可変とした信号であってデューティ比が出力光束に対応するようにすればよく、調光信号のデューティ比は、発光部３５における混色光と各発光ダイオードの調光比とを対応させて記憶部に格納した格納データによって決定するようにすればよく、記憶部に格納されている調色データを設定する設定部を設ければ、使用者の好みに応じた混色光を得ることが可能となる。したがって、使用者が自身の携帯電話４のケース４２の色に応じて照明色を選択することで、演出効果を楽しむことも可能となる。
【００２５】
また、装置本体１内に音声ＬＳＩを内蔵させておき、音声データ記憶部にあらかじめ設定した設定音や録音した音など所望の音を連動制御装置１０からの指示により発生させるようにすれば、制御装置１０により発光部３５を点灯させているときに所望の音を楽しむことも可能となる。また、制御装置１０に時計を内蔵しておき、時計と音声ＬＳＩとを組み合わせて利用することで目覚ましとしての利用も可能となる。
【００２６】
ところで、本実施形態では、装置本体１に上述の切替スイッチ１１を設けており、切替スイッチ１１の操作によって制御装置１０へ電源が供給される状態と携帯電話４の電池が充電される状態とを切り替えられる回路構成となっているが、切替スイッチ１１を設けずに、携帯電話４の充電中は制御装置１０へ電源が供給されず、携帯電話４の充電完了後に自動的に制御装置１０へ電源が供給されるような回路構成としてもよい。
【００２７】
また、本実施形態では、発光部３５を発光色の異なる複数の発光ダイオードにより構成しているが、各発光ダイオードの代わりに電界発光素子（ｅｌｅｃｔｒｏ　ｌｕｍｉｎｅｓｃｅｎｔ：ＥＬ）からなる発光フィルムを採用してもよい。すなわち、発光色の異なる複数の発光フィルムを採用してもよい。
【００２８】
（実施形態２）
本実施形態の基本構成は実施形態１と略同じなので、図示を省略するが、実施形態１にて説明した発光部３５が１種類の発光色の発光ダイオードにより構成され、透光性パネル３２が発光ダイオードの発光色とは異なる色となっている点などが相違する。
【００２９】
しかして、本実施形態の照明装置では、発光ダイオードの発光色と透光性パネル３２の色とを適宜組み合わせることにより、所望の照明色を得ることが可能となる。
【００３０】
なお、透光性パネル３２を灯具本体３１に対して着脱自在として交換可能とすれば、あらかじめ複数種類の色の透光性パネル３２を用意しておくことで様々な照明色の照明装置を提供することが可能となり、使用者が自身の携帯電話４のケース４２の色に応じて照明色を選択することで、演出効果を楽しむことも可能となる。
【００３１】
（実施形態３）
本実施形態の照明装置の基本構成は実施形態１と略同じであって、図３に示すように、制御装置１０に、携帯電話４（図１参照）の着信時に携帯電話４の発信する電波を検知する送信電波検波回路１７を内蔵しておき、制御装置１０が送信電波検波回路１７の検知出力に応じて発光部３５を点灯させる機能を有している点が相違する。なお、本実施形態では、送信電波検波回路１７が携帯電話４の着信を検知する着信検知手段を構成しており、制御装置１０が携帯電話４の着信を検知する機能を有していることになる。なお、送信電波検波回路１７としては周知の回路を適宜採用すればよく、例えば、コイルとコンデンサとダイオードとにより構成すればよく、必要に応じて増幅回路を設ければよい。
【００３２】
しかして、本実施形態の照明装置では、制御装置１０が携帯電話４の着信を検知する機能を有し携帯電話４の着信を検知すると発光部３５を点灯させるので、携帯電話４が着信時に着信音の発生しないマナーモードに設定されていても携帯電話４の着信を発光部３５の点灯により報知することができ、しかも発光部３５の光によって携帯電話４の位置が分かりやすくなるという利点がある。
【００３３】
なお、本実施形態では、制御装置１０が送信電波検波回路１７にて携帯電話４の着信を検知したときに発光部３５を点灯させるようにしてあるが、アーム２や灯具３を振動させる振動モータ（バイブレーションモータ）を設けておき、制御装置１０が送信電波検波回路１７にて携帯電話４の着信を検知したときに振動モータを制御してアーム２や灯具３を振動させるようにしてもよい。
【００３４】
（実施形態４）
本実施形態の照明装置の基本構成は実施形態１と略同じであって、図４および図５に示すように、制御装置１０の電源として充電式の電池Ｅを備えている点が相違する。また、実施形態１ではアーム２の一端部が装置本体１に連結されていたが、本実施形態では、電池Ｅを収納した収納体２０にアーム２の一端部を連結してあり、装置本体１に収納体２０を着脱自在に装着する収納体装着部１９が形成されている。ここに、収納体２０には実施形態１と同様の機能を有する制御装置１０（図５参照）も収納されている。なお、実施形態１と同様の構成要素には同一の符号を付して説明を省略する。
【００３５】
ところで、本実施形態の照明装置は、図５に示すように、上述の電池Ｅと、実施形態１と同様のコネクタ１４，１５と、充電器６から電源供給されて電池Ｅを充電する充電回路１８と、コネクタ１４を充電回路１８とコネクタ１５とのいずれかに選択的に切り替える切替スイッチ１１とを備えており、制御装置１０が電池Ｅを電源として動作するので、電池Ｅの充電が完了した後は収納体２０を装置本体１から取り外して使用することができる。
【００３６】
しかして、本実施形態の照明装置では、充電器６により充電され制御装置１０へ給電する充電式の電池Ｅを備えているので、携帯型の照明装置として利用することが可能となり、例えば災害時の保安灯、写真撮影時の補助光など、自由な明かりとして使用することが可能となる。
【００３７】
（実施形態５）
本実施形態の照明装置の基本構成は実施形態１と略同じであって、図６に示すように、アーム２に対して灯具３を着脱自在としている点が相違する。また、本実施形態では、アーム２をフレキシブルパイプにより形成してあり、アーム２が可撓性を有しているので、図６中に二点鎖線で示したようにアーム２が屈曲自在となっている。ところで、灯具３は、灯具本体３１から首部３３が突設されており、首部３３の先端に球状の可動体３４が設けられている。一方、アーム２には、可動体３４を回動自在に保持する円筒状の保持部２２が設けられている。ここに、保持部２２の内径は可動体３４の直径よりもやや小さく設定されているが、軸方向に走る２つの割溝２２ａを離間して形成することで可動体３４の着脱を可能としている。なお、図示していないが、可動体３４にはアーム２に挿通された電線を挿通する電線挿通孔が形成されている。可動体３４の形状は球状に限定するものではなく、例えば、可動体３４を円柱状の形状して可動体３４の外面に接続用の一対の電極を設けるとともに保持部２２の内面に接続用の一対の電極を設けて、一対の電極同士を接触させることによって制御装置１０（図２参照）側から発光部３５（図２参照）側へ給電するようにしてもよい。他の構成は実施形態１と同じなので図示および説明を省略する。
【００３８】
しかして、本実施形態では、アーム２に対して灯具３を回動することができ、しかもアーム２を屈曲することができ、灯具３の位置および向きを高い自由度で調節することができるから、目的とする照明対象の位置に応じて灯具３の位置および向きを適正に調節することができる。
【００３９】
なお、上記各実施形態では、電気機器として携帯電話を例示したが、ここにおける携帯電話はＰＨＳ端末も含んでいる。また、電気機器は携帯電話に限らず、充電器を用いて充電可能な電気機器であればよい。
【００４０】
【発明の効果】
請求項１の発明は、照明用の照明手段と、照明手段の点滅を制御する制御手段と、電気機器の充電器からの充電コードの先端の充電器側コネクタを接続可能な充電コネクタと、前記電気機器の充電台において前記充電器側コネクタを接続する充電台側コネクタに接続可能なコネクタを有する接続コードと、制御手段と接続コードとのいずれかを選択して充電コネクタに接続する切替手段とを備えてなるものであり、電気機器の充電器からの充電コードの先端の充電器側コネクタを充電コネクタに接続し且つ切替手段により制御手段が選択されることにより、電気機器の充電器から制御手段へ電源を供給することができるので、電気機器の充電器を電気機器の電池の充電用途以外に有効利用することができるという効果があり、また、照明手段により電気機器を照明することができバックライトを利用する電気機器の消費電力を減らすことが可能であり、電気機器の電池の寿命を長くすることができるという効果がある。
【００４１】
請求項２の発明は、請求項１の発明において、前記照明手段の点灯時間を設定する設定手段が設けられ、前記制御手段は、前記照明手段を点灯させてから前記点灯時間が経過すると前記照明手段を消灯させるので、無駄な電力消費を抑制することができ、節電を図れるという効果がある。
【００４２】
請求項３の発明は、請求項１または請求項２の発明において、前記充電器により充電され前記制御手段へ給電する充電式の電池を備えるので、携帯型の照明装置として利用することが可能となり、例えば災害時の保安灯などとして使用することが可能となるという効果がある。
【００４３】
請求項４の発明は、請求項１ないし請求項３の発明において、前記電気機器が携帯電話であり、前記制御手段は、携帯電話の着信を検知する機能を有し携帯電話の着信を検知すると前記照明手段を点灯させるので、携帯電話が着信時に着信音の発生しないマナーモードに設定されていても携帯電話の着信を前記照明手段の点灯により報知することができ、しかも前記照明手段の光によって携帯電話の位置が分かりやすくなるという効果がある。
【００４４】
請求項５の発明は、請求項１ないし請求項４の発明において、前記照明手段による照明方向を調節する調節手段を備えるので、前記照明手段による照明方向を使用者の意図に応じて調節することができ使い勝手がよいという効果がある。
【００４５】
請求項６の発明は、請求項１ないし請求項５の発明において、前記照明手段は、光源として発光色の異なる複数の発光ダイオードを有し、前記制御手段は、光源を調光制御する機能を有するので、前記照明手段による照明色を所望の照明色に調色することが可能となるという効果がある。
【００４６】
請求項７の発明は、請求項１ないし請求項５の発明において、前記照明手段は、光源である発光ダイオードと、発光ダイオードが収納された灯具本体と、発光ダイオードを覆って灯具本体の一部を形成し発光ダイオードの発光色とは異なる色の透光性パネルとを備えるので、発光ダイオードの発光色と透光性パネルの色とを適宜組み合わせることにより、所望の照明色を得ることが可能となるという効果がある。
【００４７】
請求項８の発明は、請求項１ないし請求項５の発明において、前記照明手段は、光源として発光色の異なる複数の発光フィルムを有し、前記制御手段は、光源を調光制御する機能を有するので、前記照明手段による照明色を所望の照明色に調色することが可能となるという効果がある。
【００４８】
請求項９の発明は、請求項１ないし請求項８の発明において、芳香剤を収納する芳香剤収納手段が前記制御手段に熱的に結合した位置に設けられているので、前記制御装置からの伝熱により芳香剤が芳香しやすくなり、前記照明手段による照明と合わせて芳香を楽しむことが可能となるという効果がある。
【図面の簡単な説明】
【図１】実施形態１の照明装置の使用形態の説明図である。
【図２】同上の回路ブロック図である。
【図３】実施形態３の照明装置の回路ブロック図である。
【図４】実施形態４の照明装置の概略構成図である。
【図５】同上の回路ブロック図である。
【図６】実施形態５における要部説明図である。
【符号の説明】
１　装置本体
２　アーム
３　灯具
４　携帯電話
５　充電台
６　充電器
６ｂ，６ｂ　栓刃
７　充電コード
８ａ　コネクタ
９　接続コード
９ａ　コネクタ
１０　制御装置
１１　切替スイッチ
１２　点滅スイッチ
１３　芳香剤収納部
３１　灯具本体
３２　透光性パネル
【図１】
2004055361.tif 000003
【図２】
2004055361.tif 000004
【図３】
2004055361.tif 000005
【図４】
2004055361.tif 000006
【図５】
2004055361.tif 000007
【図６】
2004055361.tif 000008